(57)【特許請求の範囲】
【請求項１】
複数のラックをレールに沿って移動可能とし、隣接する任意のラック間を開成して当該ラック間に通路を形成し得るようにしたものであって、
前記通路の歩行床下にレールを配して車輪を走行可能に支持させるとともに、この車輪を軸支するブラケットをレールに沿って歩行床に形成した連続開口を通して歩行床上に立ち上げ、このブラケットにラック本体を取り付けてなるものであり、前記レールは円柱形状をなし、レールを取り付けるレールベースに長手方向に沿って設けた溝の開口縁と開口縁の間にレールの一部を落とし込み当該レールの下端を浮かせた状態で剛接していることを特徴とする移動ラック装置。
【請求項２】
レールに沿って車輪を案内するガイドを歩行床下に設けている請求項１記載の移動ラック装置。
【請求項３】
レールを円柱形状にするとともに、車輪の外周を前記レールに係合可能な凹面形状にし、これらレール及び車輪それ自体にガイドとしての機能を付与している請求項２記載の移動ラック装置。
【請求項４】
レールを取り付けるレールベースが車輪の軌道周囲を略包囲する形態をなしている請求項１〜３記載の移動ラック装置。
【請求項５】
レールベースの上壁が歩行床の支持面を兼ねている請求項４記載の移動ラック装置。
【発明の詳細な説明】
【技術分野】
【０００１】
本発明は、書庫や倉庫などにおいて好適に用いられる移動ラック装置に関するものである。
【背景技術】
【０００２】
この種の移動ラック装置は、例えば特許文献１に示されるように、必要に応じて利用者がラックを移動させ、隣接するラックとの間に形成した通路に入り込むことによって、通路に面したラックの収納空間に対して物品の出し入れを行い得るように構成されるもので、固定ラック装置に比べて省スペース化が可能である点に特徴を有している。
【０００３】
このものは、フロアの床上に複数のレールベースを配置して各々にレールを取り付け、これらのレールに移動ラックの車輪を走行可能に支持させるようにしている。
【特許文献１】特開２０００−３７２３８号公報
【発明の開示】
【発明が解決しようとする課題】
【０００４】
ところが、このようなものであると、複数のレールベースがフロアの床から間欠的に突出して通路に段差を作ることになるので、つまづき易く、美観も損なわれるという不具合がある。
【０００５】
その上、レールベースを上壁間に溝を有する概略チャネル状のものにし、その連続開口の中央にレールを取り付けて、レールと上壁との隙間に車輪のガイドとなる鍔を収容するとともに、その隙間からレールベース内にアームを引き込んで、このアームに車輪を案内するガイドローラを取り付けるようにしている。このため、レールやその両側の溝によってレールベースが幅広なものになり、段差以外にレールや溝による凹凸も露呈することになって、上記の不具合をより助長する結果を招いている。
【０００６】
さらに、上記特許文献のものは、ラックの転倒防止のためにアームをラックの底部から移動方向に延出させてレールベースの内壁に干渉させるようにしているため、これが外観に現われ、さらに美観を損ねる要因となっている。
【０００７】
本発明は、このような課題に着目してなされたものであって、ラックの支持構造を改良工夫することにより、使用時の外観と安全性を有効に向上させた移動ラック装置を提供することを目的としている。
【課題を解決するための手段】
【０００８】
本発明は、かかる目的を達成するために、次のような手段を講じたものである。
【０００９】
すなわち、本発明の移動ラック装置は、複数のラックをレールに沿って移動可能とし、隣接する任意のラック間を開成して当該ラック間に通路を形成し得るようにしたものにおいて、前記通路の歩行床下にレールを配して車輪を走行可能に支持させるとともに、この車輪を軸支するブラケットをレールに沿って歩行床に形成した連続開口を通して歩行床上に立ち上げ、このブラケットにラック本体を取り付けてなるものであり、前記レールは円柱形状をなし、レールを取り付けるレールベースに長手方向に沿って設けた溝の開口縁と開口縁の間にレールの一部を落とし込み当該レールの下端を浮かせた状態で剛接していることを特徴とする。
【００１０】
このように構成すると、歩行床上にブラケットを通すだけのスリット状の連続開口が現れるだけであり、レールベースによる段差を始め、レールや多数の幅広な溝による凹凸が歩行床上に露出することがない。このため、見栄えがよく、足を引っ掛ける恐れも有効に低減することができ、同時に異物や塵埃の進入も効果的に防止することができる。
【００１１】
具体的な態様として、フロア全体を二重床構造にし、その床下にレール及び車輪を配置すれば、フロアそれ自体が通路の歩行床となって、バリアフリーな状態を作り出すことができる。或いは、フロアの床上に歩行床を置き敷き、この歩行床の床下にレール及び車輪を配置しても、少なくとも歩行床上には微小な連続開口が現れるだけであり、レールや幅広な溝による凹凸が生じることはない。このため、簡素に構成できて本発明の基本的作用効果を有効に奏することができる。
【００１２】
さらに、何れの場合にも、少なくとも車輪の嵩の分だけラックの棚等が歩行床に近づくので、高い位置にある棚への物品の出し入れが容易となり、収納空間を上方に拡張することも無理なく行い得るようになる。
【００１３】
以上のようにレール周辺が歩行床下に隠蔽されることから、その歩行床下を利用してレールに沿って車輪を案内するガイドを設けることも容易に可能となる。
【００１４】
特に、構造簡素にして的確なガイド作用を得るためには、レールを円柱形状にするとともに、車輪の外周を前記レールに係合可能な凹面形状にし、これらレール及び車輪それ自体にガイドとしての機能を付与していることが望ましい。
【００１５】
また、上記の構成を利用して、ラックの転倒防止を有効に図るためには、レールを取り付けるレールベースが車輪の軌道周囲を略包囲する形態をなしていることが好ましい。
【００１６】
この場合、レールベースの上壁に歩行床の支持面を兼ねさせる構造が設計上効率的となる。
【発明の効果】
【００１７】
本発明は、以上説明した構成を通じて、ラック本体を移動可能に支持するための機構部品の殆どを歩行床下に収納することができるので、ラック間に形成される通路を略フラットな歩行床として、ラックの設置状況を見栄えの良いものにするとともに、安全に物品の出し入れを行うことのできる優れた移動ラック装置を提供することが可能となる。
【発明を実施するための最良の形態】
【００１８】
以下、本発明の一実施形態を、図面を参照して説明する。
【００１９】
この実施形態の移動ラック装置は、書庫や倉庫として使用されるもので、図１に示すように、複数のラック１を所定方向に移動可能とし、隣接する任意のラック１、１間を開成して当該ラック１、１間に通路Ｓを形成し得るようにしたものである。なお、左下に位置するラック１は図示しない壁等に隣接させて配置してある。
【００２０】
そして、本実施形態は、ラック１を図２及び図３等に示すようにラック本体２と車輪３から構成し、この車輪３をレール４とともに、通路Ｓの歩行床５の床下空間Ｔに配置して構成している。
【００２１】
具体的に説明すると、レール４は建築床やフロアの床等の基準床面６に配置したレールベース７に取り付けられている。
【００２２】
レールベース７は、図２〜図５等に示すように、アジャスタ７１ａを有する基材７１と、基材７１間に亘って上面に架設されたレール構造体７２とを具備してなるもので、レール構造体７２は、チャネル状の内架材７２ａに断面ハット状の外架材７２ｂを外嵌して剛接した構造からなる。そして、内架材７２ａの幅方向中央部に長手方向に延びる溝７２ｃを形成し、この溝７２ｃの開口縁と開口縁の間に円柱状をなすレール４の一部を落とし込み当該レール４の下端を浮かせた状態で剛接している。
【００２３】
車輪３は、外周３ａを前記レール４の外周円柱面に係合可能な凹面形状とされたもので、第１、第２ブラケット３１、３２の一部に形成した対向壁３１ａ、３２ａ間に支軸３３を介して軸支されている。第１ブラケット３１は前記対向壁３１ａの上方にアングル状に折れ曲がる頂壁３１ｂを有し、この頂壁３１ｂの先端から更に逆Ｌ字形に起立片３１ｃを連設した構成からなる。一方、第２ブラケット３２は前記対向壁３２ａの上方にアングル状に折れ曲がる頂壁３２ｂを有し、この頂壁３２ｂを前記第１ブラケット３１の頂壁３１ｂに一部重合させた状態で剛接している。
【００２４】
そして、前記外架材７２ｂの上壁７２ｂ１の幅方向中央部に、長手方向に延びる連続開口を７２ｄ形成して、この連続開口７２ｄを通して前記第１ブラケット３１の起立片３１ｃの鉛直部分を歩行床５上に立ち上げており、この第１ブラケット３１の先端水平部分にラック本体２を取り付けるようにしている。第１部ラケット３１の起立片３１ｃは移動方向に小口を向けた板状のもので、前記連続開口７２ｄの開口幅はこの起立片３１ｃの厚み寸法より若干幅広な程度に設定してある。そして、外架材７２ｂの上壁７２ｂ１に歩行床５となる床材５ａを載置し、この床材５ａにも、前記連続開口７２ｄの開口幅に対応した連続開口５ｄが形成してある。
【００２５】
このようにして、第１ブラケット３１の起立片３１ｃは、レール４に沿ってレール構造体７２及び歩行床５に形成された連続開口７２ｄ、５ｄを通して歩行床５上に立ち上がり、その連続開口７２ｄ、５ｄに沿って移動しながらラック本体２を支持するものとなる。
【００２６】
このようなものであると、歩行床５上に第１ブラケット３１を通すだけのスリット状の連続開口５ｄが現れるだけであり、レールベース７による段差が歩行床５上に露出することもなければ、従来のようにレールや多数の幅広な溝による凹凸が歩行床上に露出することもない。このように、ラック１、１間に形成される通路Ｓの歩行床５を略フラットなものにすることができるので、ラックの設置状況を見栄えの良いものにすることができるとともに、足を引っ掛ける恐れも低減して、通路Ｓを安全に歩行しながら容易に物品の出し入れを行える使い勝手に優れたものにすることができる。また、これと同時に、連続開口５ｄが狭小となることで、機構部分への異物や塵埃の進入も効果的に防止され、長期に亘り安定した作動を確保することも可能になる。
【００２７】
図６は、フロア全体を基準床面６である建築床面Ｋとその上方に支持されるフロアの床Ｆからなる完全な二重床構造としたもので、フロアの床Ｆの床下空間Ｔにレールや車輪等を支持するレールベース７を配置したものである。このようにすれば、フロアの床Ｆそれ自体が通路Ｓの歩行床５となって、通路Ｓへの出入り口にレールベースによる段差等の一切存在しないバリアフリーな状態を実現することができる。勿論、図７に示すように、基準床面６であるフロアの床Ｆ上に歩行床５となる床材５ａを置き敷き、この歩行床５の床下空間Ｔにレールや車輪等を支持するレールベース７を配置してもよい。このようにしても、少なくとも歩行床５上には微小な連続開口が現れるだけでレールや幅広な溝による凹凸が生じることがないため、二重床でないフロアや既設のフロアに簡易に適用して、外観と歩行時の安全性を有効に確保することが可能となる。
【００２８】
さらに、何れの場合にも、車輪３を含むレールベース７の嵩の分だけラック１の棚等が歩行床５に近づくので、高い位置にある棚への物品の出し入れが容易となり、棚の収納空間を上方に拡張する設計も無理なく容易に行えるようになる。
【００２９】
以上に加えて、本実施形態は、レール４を円柱形状にするとともに、車輪３の外周３aを前記レール４に係合可能な凹面形状にし、これらレール４及び車輪３それ自体に、レール４に沿って車輪３を案内するガイドとしての機能を付与しているため、床下空間Ｔにコンパクトに構成できて適切なガイド作用を得ることができ、これによりラック１の走行安定性を有効に高めることが可能となる。
【００３０】
また、レール４を取り付けるレールベース７のうち、レール構造体７２を、車輪３の軌道周囲を略包囲する形態のものにしているため、ラック１が前後方向に傾倒しようとした場合には車輪３を軸支しているブラケット３１、３２の頂壁３１ｂ、３２ｂがレール構造体７２の外架材７２ｂの上壁７２ｂ１の下面に当接してその挙動を阻止することになり、ラック１の転倒防止を有効に図ることができる。
【００３１】
特に本実施形態は、転倒防止のために働く前記外架材７２ｂの頂壁７２ｂ１を、床材５ａを載置して歩行床５を形成する際の支持面の役割を兼ねさせているので、別途新たに床材５ａを支持する部材等を用いる必要をなくして、工数やコストの削減を図ることが可能となる。
【００３２】
なお、各部の具体的な構成は、上述した実施形態のみに限定されるものではない。例えば、上記実施形態ではレールと車輪の係合面の形状を通じてそれ自体にガイド作用を営ませたが、本発明の基本的な作用効果を得る上では、レールの支持面をフラットにし、車輪の外周を円筒面にして、他の部位に別途レールに添設するガイドローラ等を設けることを妨げるものではない。このような構成によってレールベースが大きくなっても、レールベースは歩行床下に収納され、外観に現れることがないからである。
【００３３】
また、歩行床の連続開口は、床材の少なくとも表面に柔らかい素材や毛足の長い素材を用いれば、見掛け上、殆ど目に付かない状態にすることも可能である。
【００３４】
その他、各部の具体的な形状等も、本発明の趣旨を逸脱しない範囲で種々変形が可能である。
【図面の簡単な説明】
【００３５】
【図１】本発明の一実施形態を示す全体斜視図。
【図２】同実施形態の要部拡大斜視図。
【図３】図２に対応した断面図。
【図４】図２に対応した平面図。
【図５】図２に対応した側面図。
【図６】同実施形態の一使用例を示す図。
【図７】同実施形態の他の使用例を示す図。
【符号の説明】
【００３６】
１…ラック
３…車輪
４…レール
５…歩行床
７…レールベース
３１…第１ブラケット
７２ｂ１…上壁
Ｓ…通路
【図１】
0004743394.tif 000002
【図２】
0004743394.tif 000003
【図３】
0004743394.tif 000004
【図４】
0004743394.tif 000005
【図５】
0004743394.tif 000006
【図６】
0004743394.tif 000007
【図７】
0004743394.tif 000008